(57)【特許請求の範囲】
【請求項１】
電子機器（１）の筐体（２）から外部に表出した機能部（７）と、
前記機能部を覆うように該機能部に装着されるキャップ（８）と、
基端部（１４）が前記機能部の内部に係合するとともに先端部（１５）が前記キャップに係合して前記機能部と前記キャップを接続し、前記キャップが前記機能部から一定距離以上離れることを規制し、前記キャップの装着時には該キャップと前記機能部の間に収容される接続部材（１３）と、
を備え、
前記機能部（７）が、前記筐体（２）から外部に表出するとともに外周面にねじ加工が施された略円筒形状の基部（１０）を有し、
前記キャップ（８）が、内周面にねじ加工が施された有底の略円筒形状に形成され、前記基部に螺着することにより前記機能部に装着される電子機器におけるキャップの構造であって、
前記接続部材（１３）は、杆状に形成され、前記基端部（１４）に係合突起（１６）が設けられ、
前記機能部（７）の内部に前記係合突起（１６）が摺動するガイド溝（１７）が設けられ、
前記ガイド溝の外側端部に前記係合突起の離脱を規制するストッパ部（１８）が設けられたことを特徴とする電子機器におけるキャップの構造。
【請求項２】
前記接続部材（１３）が単一部材により構成されたことを特徴とする請求項１記載の電子機器におけるキャップの構造。
【請求項３】
前記キャップ（８）が、前記機能部（７）周辺の所定領域（Ｘ1 ）外に退避可能となるように前記接続部材（１３）を介して該機能部に接続されたことを特徴とする請求項１又は２記載の電子機器におけるキャップの構造。
【請求項４】
請求項１乃至３の何れか一つに記載の電子機器のキャップ構造において、
前記接続部材（１３）における、前記機能部（７）に係合する基端側係合部（１９）、前記キャップ（８）に係合する先端側係合部（２０）のいずれか一方が相対回転自在に構成されたことを特徴とする電子機器におけるキャップの構造。
【請求項５】
請求項４記載の電子機器のキャップの構造において、
前記キャップ（８）の内周面には溝部（２１）が設けられ、前記接続部材（１３）の前記先端部（１５）には前記溝部（２１）に回転自在に係合する係合鍔部（２２）が設けられたことを特徴とする電子機器におけるキャップの構造。
【発明の詳細な説明】
【技術分野】
【０００１】
本発明は、電子機器が備える、ＵＳＢメモリなどの記録媒体の装着部のような何らかの機能を付与する部位を覆うためのキャップの構造に関する。なお、以下では、この機能を付与する部位のことを機能部と称する。
【背景技術】
【０００２】
下記特許文献１には、屋外設置される電子機器の機能部に着脱自在なキャップが開示されている。図５にこのキャップを示している。図５（ａ）に示すように、符号１０１は電子機器である共聴機器のケースであり、符号１０２は機能部であるモニタ端子としてのコネクタ（Ｆ型コネクタ）１０２である。Ｆ型コネクタ１０２は、ケース１０１の外側に設けられている。また、Ｆ型コネクタ１０２は、ケース１０１の外部に接続ねじ部１０３を有し、接続ねじ部１０３にはキャップ（防水キャップ）１０４が着脱自在に設けられている。防水キャップ１０４は、チェーン１０５でケース１０１側に繋がれることで脱落しないようになっている。また、防水キャップ１０４に対してはチェーン１０５の一端がキャップ側取付金具１０６及びピン１０７により固定され、チェーン１０５の他端がケース側取付金具１０８によりＦ型コネクタ１０２に対して固定されている。ケース側取付金具１０８は、ケース１０１に固定されたＦ型コネクタ１０２の接続ねじ部１０３に押し込まれている。
【０００３】
図５（ｂ）に示すように、ケース側取付金具１０８には、接続ねじ部１０３に対する取付穴１０９の内周に沿って複数のストッパ片１１０が設けられている。ケース側取付金具１０８は、治具による押込みで取付穴１０９の内周のストッパ片１１０が接続ねじ部１０３のねじ穴に当たって押込み側に変形しながら接続ねじ部１０３の付け根のネック部１０３ａに向けて押し込まれている。ネック部１０３ａにケース側取付金具１０８のストッパ片１１０が押し込まれることで、押込み側に変形していたストッパ片１１０が平らな状態に戻り、ネック部１０３ａから抜け出すことを妨げるくさびとしての作用を果たす。これにより、ケース１０１に加工を必要とせずに、チェーン１０５によりケース１０１側に防水キャップ１０４を繋げていた。
【先行技術文献】
【特許文献】
【０００４】
【特許文献１】実開平６−６８３３２号公報
【発明の概要】
【発明が解決しようとする課題】
【０００５】
しかしながら、上述した従来のキャップの構造では、チェーン１０５が外部に露出しているため、このチェーン１０５が使用者の身体などに引っ掛かって破断することがあり、チェーン１０５が破断すると、チェーン１０５を構成している複数の環状パーツが脱落する虞があった。もしも、食品を扱う場所でこのようなことがあれば、食品中に金属片などが混入する可能性があり、大変危険である。
【０００６】
また、従来は、防水キャップ１０４の着脱時などにチェーン１０５が他の部材などに巻きついて扱いにくいものであった。
【０００７】
本発明は、上記状況に鑑みてなされたものであり、電子機器において、筐体とキャップを接続している接続部材が破断などしてその構成パーツが脱落せず、しかも、キャップの着脱時などに巻きついたりせずに扱いやすいキャップの構造を提供することを目的としている。
【課題を解決するための手段】
【０００８】
次に、上記の課題を解決するための手段を、実施の形態に対応する図面を参照して説明する。
本発明に係る請求項１記載の電子機器におけるキャップの構造は、
電子機器１の筐体２から外部に表出した機能部７と、
前記機能部７を覆うように該機能部７に装着されるキャップ８と、
基端部１４が前記機能部７の内部に係合するとともに先端部１５が前記キャップ８に係合して前記機能部７と前記キャップ８を接続し、前記キャップ８が前記機能部７から一定距離以上離れることを規制し、前記キャップ８の装着時には該キャップ８と前記機能部７の間に収容される接続部材１３と、を備え、
前記機能部７が、前記筐体２から外部に表出するとともに外周面にねじ加工が施された略円筒形状の基部１０を有し、
前記キャップ８が、内周面にねじ加工が施された有底の略円筒形状に形成され、前記基部１０に螺着することにより前記機能部７に装着される電子機器におけるキャップの構造であって、
前記接続部材１３は、杆状に形成され、前記基端部１４に係合突起１６が設けられ、
前記機能部７の内部に前記係合突起１６が摺動するガイド溝１７が設けられ、
前記ガイド溝１７の外側端部に前記係合突起１６の離脱を規制するストッパ部１８が設けられたことを特徴としている。
【０００９】
このようなキャップの構造では、機能部７からキャップ８が外されたとき、キャップ８は、基端部１４が機能部７に係合し、且つ、先端部１５がキャップ８に係合している接続部材１３によって、一定距離以上の離反が規制された状態となって機能部７に繋がれている。また、キャップ８が機能部７に装着されると、接続部材１３は、キャップ８と機能部８の間に収容され、筐体２の外部に露出しなくなる。
また、このようなキャップの構造では、例えば、基部１０の外周面に雄ねじ１１が設けられ、キャップ８の内周面に雌ねじ１２が設けられ、基部１０に被せられたキャップ８が回転されることで、キャップ８は機能部７に螺着される。なお、基部１０とキャップ８に施されるねじ加工は逆であってもよい。すなわち、基部１０に雌ねじ１２が設けられ、キャップ８に雄ねじ１１が設けられてもよい。
また、このような構成では、機能部７の基部１０からキャップ８が外されると、キャップ８は、係合突起１６をガイド溝１７に摺動させる接続部材１３を介して引き出される。また、キャップ８は、所定の距離だけ引き出されると、接続部材１３の係合突起１６がストッパ部１８に当接し、それ以上の引き出しが規制され、機能部７から一定距離以上離れることが規制される。
【００１０】
請求項２記載の電子機器におけるキャップの構造は、請求項１記載の電子機器におけるキャップの構造において、
前記接続部材１３が単一部材により構成されたことを特徴としている。
【００１１】
このようなキャップの構造では、接続部材１３が単一部材からなることで、チェーンのような複数の環状パーツなどがなくなる。すなわち、接続部材１３には連結部分がなくなる。
【００１２】
請求項３記載の電子機器におけるキャップの構造は、請求項１又は２記載の電子機器におけるキャップの構造において、
前記キャップ８が、前記機能部周辺の所定領域Ｘ1 外に退避可能となるように前記接続部材１３を介して該機能部７に接続されたことを特徴としている。
【００１３】
このようなキャップの構造では、機能部７から外されたキャップ８が、接続部材１３によって機能部７に接続されたまま機能部７周辺の所定領域Ｘ1 外の退避位置Ｘ2 に移動し、機能部７周辺の所定領域Ｘ1 内に機能部７に対するアクセス空間が確保される。これにより、機能部７を使用するときにキャップ８が邪魔になることがなくなる。
【００１６】
請求項４記載の電子機器におけるキャップの構造は、請求項１乃至３の何れか一つに記載の電子機器のキャップ構造において、
前記接続部材１３における、前記機能部７に係合する基端側係合部１９、前記キャップ８に係合する先端側係合部２０のいずれか一方が相対回転自在に構成されたことを特徴としている。
【００１７】
このような構成では、機能部７（基部１０）に被せられたキャップ８が回転されると、機能部７と接続部材１３との基端側係合部１９、又は接続部材１３とキャップ８との先端側係合部２０のいずれかが相対回転する。これにより、キャップ８は、接続部材１３を介して基部１０に接続されたまま機能部７に螺着可能となる。
【００１８】
請求項５記載の電子機器におけるキャップの構造は、請求項４記載の電子機器のキャップ構造において、
前記キャップ８の内周面には溝部２１が設けられ、前記接続部材１３の前記先端部１５には前記溝部２１に回転自在に係合する係合鍔部２２が設けられたことを特徴としている。
【００１９】
このような構成では、接続部材１３の先端部１５に設けられた係合鍔部２２が、キャップ８の溝部２１に嵌まることで、キャップ８は接続部材１３の先端部１５に回転自在に接続されるようになる。
【発明の効果】
【００２２】
本発明に係る請求項１記載の電子機器におけるキャップの構造によれば、接続部材が破断などしてその構成パーツが脱落することを防ぐことができる。また、キャップの着脱時などに接続部材が巻きついたりしないため、扱いやすくなる。また、機能部に対するキャップの装着強度を大きくすることができる。また、接続部材を機能部の内部に引き出し自在に収容可能にするとともに、機能部から一定距離以上の離反を規制することができる。
【００２３】
請求項２記載の電子機器におけるキャップの構造によれば、接続部材は、絡まりにくく扱いやすいとともに、破断しにくいものとなる。
【００２４】
請求項３記載の電子機器におけるキャップの構造によれば、例えば、機能部がＵＳＢメモリの装着部である場合、機能部への装着部品（この場合はＵＳＢメモリ）の着脱作業に対してキャップが邪魔することがなくなる。
【００２６】
請求項４記載の電子機器におけるキャップの構造によれば、接続部材が剛性を有する単一部材であっても、キャップを機能部に螺着させることができる。
【００２７】
請求項５記載の電子機器におけるキャップの構造によれば、キャップを簡素な構造で基部の軸回りに回転自在に接続することができ、且つ、基部の軸方向には移動規制して接続することができる。
【図面の簡単な説明】
【００２９】
【図１】（ａ）本発明の実施の形態において、機能部にキャップが装着された状態の斜視図、（ｂ）機能部からキャップが外された状態の斜視図である。
【図２】機能部からキャップが引き出された状態の斜視図（縦断面図）である。
【図３】図２に示すＡ−Ａ線方向の断面図（横断面図）である。
【図４】（ａ）機能部にキャップが装着された状態の縦断面図、（ｂ）機能部からキャップが引き出された状態の縦断面図、（ｃ）キャップが退避位置に移動した状態の縦断面図である。
【図５】（ａ）従来のキャップの縦断面図、（ｂ）従来のキャップに設けられたケース側取付金具の正面図である。
【発明を実施するための形態】
【００３０】
以下、本発明の実施の形態を図面を参照して具体的に説明する。
この実施の形態では、ＵＳＢメモリ３０などの記録媒体にデータ記録可能なデジタル指示計を電子機器の例として説明する。なお、本発明の要旨のキャップの構造は、デジタル指示計の他に、食品を扱う場所で取り扱われる検査装置など筐体の一部に設けられた外部から操作可能な部位を覆うキャップを有する様々な電子機器に適用することができる。
【００３１】
図１に示すように、デジタル指示計１は、図示しない計量台で計量された被計量物の重量などのデータを、ＵＳＢメモリ３０に記録する機能を有している。デジタル指示計１は、筐体２と、筐体２の前面パネル３に設けられた表示部（表示画面）４と、前面パネル３に設けられた操作部（操作ボタン）５と、それぞれの操作ボタン５に対応して設けられた表示灯（ＬＥＤランプ）６と、機能部７と、機能部７に装着されるキャップ８と、を備えている。
【００３２】
なお、機能部７とは、電子機器に何らかの機能を付与する部位であり、機能部７を覆うキャップ８を外すことによりこの機能部７への操作が可能となる部位である。この実施の形態では、機能部７がＵＳＢメモリ３０の装着部となる。この機能部７にはＵＳＢメモリ３０の差込口９が設けられている。差込口９から差し込まれたＵＳＢメモリ３０は、筐体２の内部に配設された図示しないＵＳＢコネクタに接続される。なお、機能部７としては、ＵＳＢメモリ３０の装着部の他、筐体２外部からのケーブルを接続するためのコネクタ、筐体２の内部を視認するための窓部などでもよい。
【００３３】
機能部７は、筐体２の前面パネル３から外部に表出している。機能部７は、筐体２から外部に表出した部分となる略円筒形状の基部（円筒基部）１０を備えている。また、キャップ８は、有底の略円筒形状に形成されている。円筒基部１０とキャップ８とは、螺合構造によって結合される。この実施の形態においては、円筒基部１０の外周面とキャップ８の内周面にねじ加工が施されている。この実施の形態では、円筒基部１０の外周面に雄ねじ１１が設けられ、キャップ８の内周面に雌ねじ１２が設けられている。これにより、円筒基部１０に被せられたキャップ８が回転されることで、キャップ８は機能部２５に螺着される。なお、円筒基部１０とキャップ８のねじ加工は逆であってもよい。すなわち、円筒基部１０に雌ねじ１２が設けられ、キャップ８に雄ねじ１１が設けられてもよい。また、このような螺合構造の他、例えば、ゴムなどの弾性部材を用いて押し込んで装着されるようにしてもよい。
【００３４】
図２及び３に示すように、機能部７とキャップ８とは、接続部材１３によって接続されている。接続部材１３は、基端部１４が機能部７の内部に係合するとともに、先端部１５がキャップに係合し、キャップ８が機能部７から一定距離以上離れることを規制している。
【００３５】
接続部材１３は、単一部材により構成されている。ここで、単一部材とは、複数部材を構成要素としない一体部材のことを言う。そのため、単一部材には軟質樹脂からなる部材なども含まれるが、他の部材などに絡まりにくくする必要があるため、所定の剛性は有するものとする。したがって、接続部材１３の材料としては金属や硬質樹脂などが好ましい。この実施の形態では、接続部材１３は、金属板を板金加工することにより形成されている。
【００３６】
接続部材１３は、杆状に形成され、基端部１４には係合突起１６，１６が設けられている。図３に示すように、係合突起１６，１６は、接続部材１３が平面視で略Ｔ字形となるように、接続部材１３の両側部から外側に突出している。また、機能部７の内部には、係合突起１６，１６が摺動するためのガイド溝１７，１７が設けられている。ガイド溝１７，１７の外側端部には、係合突起１６，１６の離脱を規制して抜け止めとなるストッパ部１８が設けられている。
【００３７】
機能部７の円筒基部１０からキャップ８が外されると、キャップ８は、係合突起１６をガイド溝１７に摺動させる接続部材１３を介して前方（図２における右方）に引き出される。キャップ８は、一定距離だけ引き出されると、接続部材１３の係合突起１６，１６がストッパ部１８，１８に当接し、機能部７からそれ以上の引き出しが規制される。すなわち、接続部材１３は、機能部７とキャップ８の間に引き出し自在に収容されているとともに、機能部７から外部への一定距離以上の離反が規制されている。
【００３８】
図１（ｂ）に示すように、キャップ８は、機能部７周辺の所定領域Ｘ1 外の退避位置Ｘ2 （図４（ｃ）参照）に移動可能となるように接続部材１３を介して機能部７に接続されている。機能部７周辺の所定領域Ｘ1 とは、具体的には機能部７の前方の領域（図４（ｃ）参照）のことであり、この領域（以下、前方領域Ｘ1 という）はＵＳＢメモリ３０が装着されるために空けておく必要がある領域である。キャップ８は、ガイド溝１７，１７の外側端部に配置された接続部材１３の係合突起１６，１６を中心に回転されることで、図４（ｃ）に示すように、略９０°の回転範囲で退避位置Ｘ2 に移動可能となる。
【００３９】
また、キャップ８を接続部材１３を介して機能部７に回転自在に接続させるために、機能部７と接続部材１３を係合する基端側係合部１９と、接続部材１３とキャップ８を係合する先端側係合部２０とのいずれか一方が相対回転自在となる。この実施の形態では、接続部材１３とキャップ８を係合する先端側係合部２０が相対回転自在に構成されている。円筒基部１０に被せられたキャップ８が回転されると、接続部材１３とキャップ８が相対回転する。これにより、キャップ８は、接続部材１３を介して円筒基部１０に接続されたまま機能部７に螺着又は螺着解除可能となる。
【００４０】
先端側係合部２０の相対回転は、具体的には、キャップ８の内周面に設けられた環状の溝部２１と、接続部材１３の先端部１５に設けられ、溝部２１に回転自在に係合する係合鍔部２２とにより可能となる。図２に示すように、係合鍔部２２は、その形状が弦２１ａと円弧（優弧）２１ｂからなり、接続部材１３の杆状部が略直角に屈曲されて設けられている。また、キャップ８の内部には、係合鍔部２２が溝部２１に配置された後に係合鍔部２２を抜け止めするためのストッパリング２３が取り付けられる。係合鍔部２２は、その弦２１ａがストッパリング２３の直径よりも小さいので、溝部２１から脱落せずにキャップ８の内部に保持される。接続部材１３の先端部１５に設けられたこの係合鍔部２２は、キャップ８の溝部２１に嵌まることで、接続部材１３の先端部１５とキャップ８とを回転自在に接続している。また、係合鍔部２２は、溝部２１に嵌まることで、接続部材１３とキャップ８とをその軸方向に移動規制して接続している。
【００４１】
なお、このような係合鍔部２２によれば、円弧（優弧）２１ｂの部分によって溝部２１を円滑に摺動させることができる。係合鍔部の形状は、上述したような弦２１ａと優弧２１ｂからなる形状以外であってもよく、例えば、溝部２１の直径と略同等の長さのアームなどを備えた形状でもよい。この形状では、係合鍔部は溝部２１に二点で保持される。また、一点が溝部２１の一方の半円部に位置し、他の二点が溝部２１の他方の半円部に位置した三角形状でもよい。この形状では、係合鍔部は溝部２１に三点で保持される。このように様々な形状がある。
【００４２】
さらに、係合鍔部２２には、ＵＳＢメモリ３０が差し込まれたままでも、キャップ８の内部にＵＳＢメモリ３０を収容して機能部７にキャップ８を装着可能となるように、ＵＳＢメモリ３０が挿通可能な貫通穴２４が設けられている。
【００４３】
ここから、図４を参照してこの実施の形態における作用を説明する。
図４（ａ）に示すように、デジタル指示計１では、機能部７の不使用時、接続部材１３がガイド溝１７に沿って機能部７の後方（図４における左方）に押し込まれ、キャップ８が機能部７に螺着されている。
【００４４】
機能部７を使用するときには、キャップ８が回転される。キャップ８は、係合鍔部２２に対して溝部２１が回転することで、接続部材１３に対して回転し、機能部７の円筒基部１０との螺着が解除される。
【００４５】
図４（ｂ）に示すように、円筒基部１０との螺着が解除されたキャップ８は、機能部７の前方（図４における右方）に引かれることで、接続部材１３がガイド溝１７を摺動して引き出される。引き出された接続部材１３は、係合突起１６がストッパ部１８に当接することで、止まり、それ以上のキャップ８の引き出しが規制される。
【００４６】
すなわち、機能部７から外されたキャップ８は、基端部１４が機能部７に係合するとともに、先端部１５がキャップ８に係合する接続部材１３によって、一定距離以上離れることが規制されて機能部７に繋がれることになる。
【００４７】
図４（ｃ）に示すように、キャップ８は、引き出された接続部材１３がガイド溝１７の外側端部にて係合突起１６を中心に回転されることで、退避位置Ｘ2 へと移動する。すなわち、機能部７の前方領域Ｘ1 に移動したキャップ８は、接続部材１３によって機能部７に接続されたまま機能部７の前方領域Ｘ1 外の退避位置Ｘ2 に移動する。
【００４８】
なお、この状態（キャップ８が退避位置Ｘ2 に移動した状態）のときに、機能部７にはＵＳＢメモリ３０が差込口９から差し込まれて装着される。
【００４９】
また、ＵＳＢメモリ３０が機能部７に装着された状態、あるいはＵＳＢメモリ３０が機能部７から抜き取られた状態で、接続部材１３が係合突起１６を中心に回転されて図４（ｂ）に示した位置に戻され、機能部７の前方に配置されたキャップ８が円筒基部１０に向かって移動することで、接続部材１３がガイド溝１７を摺動して機能部７の内部へと押し込まれる。キャップ８は、機能部７の円筒基部１０に到達した後に回転されることで、円筒基部１０に螺着されて装着が完了する。キャップ８が機能部７に装着されたときは、接続部材１３は、キャップ８と機能部７の間に収容されている。
【００５０】
上述した実施の形態によれば、機能部７からキャップ８が外されたとき、キャップ８は、一定距離以上の離反が規制された状態となって機能部７に繋がれている。キャップ８が機能部７に装着されると、接続部材１３は、キャップ８と機能部７の間に収容され、筐体２の外部に露出しなくなる。これにより、接続部材１３が破断などしてその構成パーツが脱落することを防ぐことができる。また、キャップ８の着脱時などに接続部材１３が巻きついたりしないため、扱いやすくなる。仮に、接続部材１３をヒンジなどが設けられた屈曲可能な構成としても、このような効果が得られる。
【００５１】
また、接続部材１３が、単一の金属部材により構成されていることにより、チェーンのような複数の環状パーツなどの連結部分がなくなり、絡まりにくく扱いやすいとともに、破断しにくいものとなる。
【００５２】
さらに、機能部７から外されたキャップ８が、接続部材１３によって機能部７に接続されたまま機能部７の前方領域Ｘ1 外の退避位置Ｘ2 に移動することにより、ＵＳＢメモリ３０の着脱作業に対してキャップ８が邪魔することがなくなる。
【００５３】
また、機能部７の円筒基部１０の外周面に雄ねじ１１が設けられ、キャップ８の内周面に雌ねじ１２が設けられていることで、機能部７にキャップ８を螺着させることができるようになり、機能部７に対するキャップ８の装着強度を大きくすることができる。
【００５４】
さらに、円筒基部１０に被せられたキャップ８が回転されるときに、接続部材１３とキャップ８との先端側係合部２０が相対回転することにより、キャップ８は、接続部材１３を介して円筒基部１０に接続されたまま機能部７に螺着可能となり、接続部材１３が剛性を有する単一部材であっても、キャップ８を機能部７に螺着することができる。
【００５５】
また、接続部材１３の先端部１５に設けられた係合鍔部２２が、キャップ８の溝部２１に嵌まることで、キャップ８は接続部材１３の先端部１５に回転自在に接続され、これにより、キャップ８を簡素な構造で円筒基部１０の軸回りに回転自在に接続することができ、且つ、円筒基部１０の軸方向には移動規制して接続することができる。
【産業上の利用可能性】
【００５６】
以上のように、本発明に係る電子機器におけるキャップの構造は、接続部材１３が破断などしてその構成パーツが脱落することを防ぐことができ、キャップ８の装着時などに接続部材１３が巻きつかず扱いやすいという効果を有するので、特に筐体からキャップの取り外しを頻繁に行う電子機器に有効である。
【符号の説明】
【００５７】
１…電子機器であるデジタル指示計
２…筐体
７…機能部
８…キャップ
１０…基部（円筒基部）
１３…接続部材
１４…基端部
１５…先端部
１６…係合突起
１７…ガイド溝
１８…ストッパ部
１９…基端側係合部
２０…先端側係合部
２１…溝部
２２…係合鍔部
Ｘ1 …（機能部周辺の）所定領域となる機能部の前方領域
【図１】
0006009759.tif 000002
【図２】
0006009759.tif 000003
【図３】
0006009759.tif 000004
【図４】
0006009759.tif 000005
【図５】
0006009759.tif 000006